(57)【要約】【課題】  居室番号を入力する従来の操作では居住者を呼び出すことができない集合住宅インターホンシステムを提供する。【解決手段】  居室親機２は、集合玄関機１から自身を呼び出すための呼出番号を設定する呼出番号設定手段を備え、制御機４は、居室親機２で設定した呼出番号を記憶する呼出番号記憶部４４を有する照合部４５を有して集合玄関機１から送信された呼出番号と記憶している呼出番号とを照合し、合致した居室親機２がある場合に、その居室親機２に呼出信号を発し、呼び出しを行う。合致した呼出番号が無ければ呼び出しを行わない。【選択図】  図１
2008079105.tif 000002
【特許請求の範囲】
【請求項１】
集合玄関に設置されて居住者を呼び出すための集合玄関機と、個々の居室に設置されて前記集合玄関機からの呼び出しに応答するための居室親機と、前記集合玄関機、前記居室親機間の通話及び通信を制御する制御機とを備えた集合住宅インターホンシステムであって、
前記居室親機は、前記集合玄関機から自身を呼び出すための呼出番号を設定する呼出番号設定手段を備えると共に、前記制御機は、前記居室親機で設定した呼出番号を記憶する呼出番号記憶手段と番号照合手段とを備え、前記集合玄関機に入力された呼出番号と記憶している呼出番号とを照合し、合致した居室親機がある場合に呼び出しを行うことを特徴とする集合住宅インターホンシステム。
【請求項２】
集合玄関に設置されて居住者を呼び出すための集合玄関機と、個々の居室に設置されて前記集合玄関機からの呼び出しに応答するための居室親機と、前記集合玄関機、前記居室親機間の通話及び通信を制御する制御機とを備え、前記集合玄関機は来訪者を撮像するためのカメラを有すると共に前記居室親機は前記カメラの撮像映像を出画するモニタを有する集合住宅インターホンシステムであって、
前記居室親機は、前記集合玄関機から自身を呼び出すための呼出番号を設定する呼出番号設定手段、及び設定した呼出番号をバーコード等の暗号化された画像情報に変換して前記モニタに出画する暗号画像作成手段を備える一方、前記集合玄関機は、前記カメラが暗号化された画像情報を撮像したら呼出番号情報に変換する画像情報変換部を有し、
前記制御機は、前記居室親機で設定した呼出番号を記憶する呼出番号記憶手段と番号照合手段とを有し、前記カメラが撮像して前記画像情報変換部で変換された呼出番号と記憶している呼出番号とを照合し、合致した居室親機がある場合に呼び出しを行うことを特徴とする集合住宅インターホンシステム。
【請求項３】
前記集合玄関機は、居室番号が入力されたら前記カメラを起動して撮像を開始し、前記暗号化された画像情報の判断を開始する起動制御手段を有することを特徴とする請求項２記載の集合住宅インターホンシステム。
【請求項４】
制御機、集合玄関機、居室親機の何れかに録画部及び録画制御手段を備え、前記録画制御手段は前記集合玄関機で入力された呼出番号情報が前記番号照合手段で認証できない場合、或いは居室番号のみの入力の場合は、前記カメラ撮像映像を前記録画部に録画することを特徴とする請求項２又は３に記載の集合住宅インターホンシステム。
【請求項５】
前記居室親機はメッセージ情報を発報或いは表示する報知手段を有し、前記呼出番号設定手段で設定された呼出番号が、前記呼出番号記憶手段に既に記憶されている場合に、前記居室親機は、再設定を促すメッセージを報知する報知制御手段を有することを特徴とする請求項１乃至４の何れかに記載の集合住宅インターホンシステム。
【発明の詳細な説明】
【技術分野】
【０００１】
本発明は、集合住宅インターホンシステムに関し、特に居室親機の呼出番号を変更することができる集合住宅インターホンシステムに関するものである。
【背景技術】
【０００２】
集合住宅インターホンシステムは、集合玄関子機のテンキーを操作して居住者の居室番号を入力し、呼出ボタンを押すことで呼出先の居室親機が呼出音を鳴動して居住者を呼び出すよう構成されたものが広く使用されている。
一方で、集合住宅の集合玄関は、居住者により施解錠が可能に構成され、来訪者がある度に居住者が解錠操作するのが一般的であるが、この煩わしさを無くすために、例えば特許文献１では、来訪者にバーコードパターンを発行し、来訪者が集合玄関機のカメラに携帯端末を利用して与えられたバーコードパターンを提示することで、共同玄関が解錠されるシステムが開示されている。
【特許文献１】特開２００６−９０００６号公報
【発明の開示】
【発明が解決しようとする課題】
【０００３】
しかしながら、居室番号を入力して居住者を呼び出す従来の集合住宅インターホンシステムの場合、泥棒や押し売りなど期待しない訪問者であっても居室番号を押しさえすれば居住者を呼び出すことができる。そのため、居住者の不在が知られてしまい防犯性が低下してしまったり、居住者のプライバシーが損なわれてしまう問題があった。
また、上記特許文献１に記載されているシステムでは、セキュリティを落とすことなく居住者が操作することなく集合玄関の電気錠を解錠することができるが、居室番号を押して呼出操作をすれば、従来のシステムと同様に居室親機において呼出報音がなされた。
【０００４】
そこで、本発明はこのような問題点に鑑み、居室番号を入力する従来の操作では居住者を呼び出すことができない集合住宅インターホンシステムを提供することを目的とする。
【課題を解決するための手段】
【０００５】
上記課題を解決する為に、請求項１に記載の発明は、集合玄関に設置されて居住者を呼び出すための集合玄関機と、個々の居室に設置されて集合玄関機からの呼び出しに応答するための居室親機と、集合玄関機、居室親機間の通話及び通信を制御する制御機とを備えた集合住宅インターホンシステムであって、居室親機は、集合玄関機から自身を呼び出すための呼出番号を設定する呼出番号設定手段を備えると共に、制御機は、居室親機で設定した呼出番号を記憶する呼出番号記憶手段と番号照合手段とを備え、集合玄関機に入力された呼出番号と記憶している呼出番号とを照合し、合致した居室親機がある場合に呼び出しを行うことを特徴とする。
この構成によれば、例えば携帯電話等を使用して居住者が来訪予定者に対して設定した呼出番号を知らせておくことで、来訪者は連絡された番号を集合玄関機に入力することで、居住者を呼び出すことができる。よって、居室番号以外の番号により呼び出しすることができ、この呼出番号を知らない来訪者は呼び出すことができず、防犯に効果を奏する。また、プライバシーも確保できる。
【０００６】
請求項２の発明は、集合玄関に設置されて居住者を呼び出すための集合玄関機と、個々の居室に設置されて集合玄関機からの呼び出しに応答するための居室親機と、集合玄関機、居室親機間の通話及び通信を制御する制御機とを備え、集合玄関機は来訪者を撮像するためのカメラを有すると共に居室親機はカメラの撮像映像を出画するモニタを有する集合住宅インターホンシステムであって、居室親機は、集合玄関機から自身を呼び出すための呼出番号を設定する呼出番号設定手段、及び設定した呼出番号をバーコード等の暗号化された画像情報に変換して前記モニタに出画する暗号画像作成手段を備える一方、集合玄関機は、カメラが暗号化された画像情報を撮像したら呼出番号情報に変換する画像情報変換部を有し、制御機は、居室親機で設定した呼出番号を記憶する呼出番号記憶手段と番号照合手段とを有し、前記カメラが撮像して画像情報変換部で変換された呼出番号と記憶している呼出番号とを照合し、合致した居室親機がある場合に呼び出しを行うことを特徴とする。
この構成によれば、モニタに表示された画像を携帯電話で撮影してＥ−ＭＡＩＬ等で来訪者の携帯電話に転送すれば、来訪者は転送された画像を携帯電話の画面に表示させて集合玄関機のカメラに翳すことで、居住者を呼び出すことができる。よって、居室番号以外の番号により呼び出しすることができ、この呼出番号を知らない来訪者は呼び出すことができず、防犯に効果を奏するし、プライバシーも確保できる。更に、呼出番号を覚える必要がないので、来訪者への負担が少ない。
【０００７】
請求項３の発明は、請求項２に記載の発明において、集合玄関機は、居室番号が入力されたらカメラを起動して撮像を開始し、暗号化された画像情報の判断を開始する起動制御手段を有することを特徴とする。
この構成によれば、必要な時のみカメラが起動するので、省電力化できるしカメラの寿命が延びる。また、居室番号が入力されるだけでは呼び出しは掛からないので、防犯に効果を有する。
【０００８】
請求項４の発明は、請求項２又は３に記載の発明において、制御機、集合玄関機、居室親機の何れかに録画部及び録画制御手段を備え、録画制御手段は集合玄関機で入力された呼出番号情報が番号照合手段で認証できない場合、或いは居室番号のみの入力の場合は、カメラ撮像映像を録画部に録画することを特徴とする。
この構成によれば、不審者が呼出操作した場合、来訪者映像を保存するので不審者映像を残しておくことができ、防犯に効果的である。
【０００９】
請求項５の発明は、請求項１乃至４に記載の発明において、居室親機はメッセージ情報を発報或いは表示する報知手段を有し、呼出番号設定手段で設定された呼出番号が、呼出番号記憶手段に既に記憶されている場合に、居室親機は、再設定を促すメッセージを報知する報知制御手段を有することを特徴とする。
この構成によれば、設定した番号が二重に登録されることが無く、誤って呼び出しが成されるようなことがない。
【発明の効果】
【００１０】
このように、本発明によれば、例えば携帯電話等を使用して居住者が来訪者へ設定した呼出番号を知らせておくことで、来訪者は通知された番号を集合玄関機に入力すれば、居住者を呼び出すことができる。よって、居室番号以外の番号により呼び出しすることができ、この呼出番号を知らない来訪者は呼び出すことができず、防犯に効果を奏する。また、プライバシーも確保できる。
【発明を実施するための最良の形態】
【００１１】
以下、本発明を具体化した実施の形態を、図面に基づいて詳細に説明する。図１は本発明に係る集合住宅インターホンシステムの第１の実施形態を示す構成図であり、個々の機器を回路ブロック図で示している。図１において、１は集合住宅のエントランス等の集合玄関に設置されて来訪者が居住者を呼び出すための集合玄関機、２は集合玄関機１からの呼び出しに応答するために各住居（居室）に設置された居室親機、３は管理室に設置されて居室親機２等と通話が可能な管理室親機、４は管理室等に設置されて各機器間の通話及び通信を制御する制御機である。そして、集合玄関機１、居室親機２、管理室親機３は、制御機４に伝送線Ｌ１，Ｌ２，Ｌ３により夫々接続されている。
【００１２】
集合玄関機１は、来訪者を撮像するためのカメラ８、撮像映像を変調する映像処理回路９、各種情報を表示する表示部１０、テンキーや呼出ボタンを供えた操作部１１、マイク及びスピーカを備えた通話部１２、音声合成回路１３、合成音声を発報するためのアンプ１４及び拡声スピーカ１５、制御機４と通信するための通信回路１６、マイクロコンピュータから成る集合玄関機制御回路１７を備えている。
【００１３】
居室親機２は、伝送されてきた映像信号を復調する映像処理回路２０、来訪者映像を出画するためのモニタ２１、各種情報を表示する表示部２２、マイク及びスピーカを備えた通話部２３、テンキー等から成る呼出番号設定部２４、音声合成回路２５、合成音声を発報するアンプ２６及び拡声スピーカ２７、制御機４と通信するための通信回路２８、マイクロコンピュータから成る居室親機制御回路２９を備えている。但し、呼出番号設定部２４はタッチパネルで構成され、表示部２２及びモニタ２１は一体化されている。
【００１４】
管理室親機３は、各種情報を表示する表示部３１、マイク及びスピーカを備えた通話部３２、テンキーを備えた操作部３３、音声合成回路３４、合成音声を発報するためのアンプ３５及び拡声スピーカ３６、制御機４と通信するための通信回路３７、マイクロコンピュータから成る管理室親機制御回路３８を備えている。
【００１５】
更に制御機４は、集合玄関機１と通信する第１通信回路４１、居室親機２と通信する第２通信回路４２、管理室親機３と通信する第３通信回路４３、設定された番号を記憶する呼出番号記憶部４４、集合玄関機１で入力された呼出番号と照合する照合部４５、マイクロコンピュータから成る制御機制御回路４６を備えている。
【００１６】
このように構成された集合住宅インターホンシステムは、次のように動作する。まず最初に、集合玄関機１から訪問先（自己）を呼び出すための番号が居室親機２の呼出番号設定部２４で設定される。具体的には、居室親機２のタッチパネルを所定の操作することで、設定メニューが表示され、番号設定操作画面に入り設定が成される。例えば５桁の任意の数値が入力される。
【００１７】
こうして設定された呼出番号（以下、設定番号とする）は、最後に設定ボタン（図示せず）が押されることで制御機４に送信され、制御機４はこの番号が既に呼出番号記憶部４４に設定済みとなってないか照合部４５で照合し、無ければ呼出番号記憶部４４に記憶される。既に設定されている番号であれば、居室親機２に通知し、居室親機制御回路２９は音声合成回路２５を操作して「入力された番号は登録することができません」等のメッセージを拡声スピーカ２７から報音させ、再設定を促す。こうすることで、設定番号が二重に登録されることが無く、誤って呼び出しが成されるような事態が発生することはない。
【００１８】
そして、作成された設定番号は、居住者によって携帯電話等の通信手段を使用して来訪予定者に連絡され、この設定番号の通知を受けた来訪者により集合玄関機１から呼出操作が行われる。操作部１１が操作されて通知された設定番号が入力され、呼出ボタン（図示せず）が押されると、集合玄関機制御回路１７は、入力された設定番号を制御機４に送信する。尚、同時にカメラを起動して来訪者の撮像を開始する。
【００１９】
制御機４は、制御機制御回路４６の制御により、照合部４５を操作して送信された設定番号と記憶している設定番号とを照合し、一致している番号があれば、その番号を登録した居室親機２に対して呼出信号を送信する。こうして呼び出しがなされる。但し、照合した結果、一致する番号がなければ、呼び出しをせずに集合玄関機１にその旨通知する。この通知を受けて、集合玄関機制御回路１７は、音声合成回路１３を制御して拡声スピーカ１５から、或いは表示部１０から「入力した番号で呼び出すことはできません」等のメッセージを出力或いは表示を行い、再入力を促す。
尚、呼出動作後の居室親機２による応答動作等は、従来の集合住宅インターホンシステムの動作と同様であるため、説明を省略する。
【００２０】
このように、例えば携帯電話等を使用して居住者が来訪者へ設定番号を知らせておくことで、来訪者は連絡された番号を集合玄関機に入力することで、居住者を呼び出すことができる。よって、居住者が設定した番号以外の番号、例えば居室番号を入力しても呼び出しすることができず、この設定番号を知らない不審者等は呼出操作ができない。従って、防犯に効果を奏するし、プライバシーも確保できる。
【００２１】
尚、居室番号による呼び出しも可能とし、居室番号による呼び出しと居住者が設定した番号による呼び出しとで居室親機２の呼出音を異なる音にしても良く、呼出音で来訪者の種類を判断することが可能となり、セキュリティに有効である。また、居室番号による呼び出しと設定番号による呼び出しを、時間帯によって使い分けても良い、例えば夜間は設定番号による呼び出しのみ有効とすれば、睡眠を邪魔されないようにできる。
【００２２】
次に、本発明に係る集合住宅インターホンシステムの第２の実施形態を図２の構成図を基に説明する。図２において、５１は集合住宅のエントランス等の集合玄関に設置されて来訪者が居住者を呼び出すための集合玄関機、５２は集合玄関機５１からの呼び出しに応答するために各住居（居室）に設置された居室親機、５３は管理室に設置されて居室親機５２等と通話が可能な管理室親機、５４は管理室等に設置されて各機器間の通話及び通信を制御する制御機である。そして、集合玄関機５１、居室親機５２、管理室親機５３は、制御機５４に伝送線Ｌ１１，Ｌ１２，Ｌ１３により夫々接続されている。
【００２３】
集合玄関機５１は、来訪者を撮像するためのカメラ５８、撮像映像を変調する映像処理回路５９、各種情報を表示する表示部６０、テンキーや呼出ボタンを供えた操作部６１、マイク及びスピーカを備えた通話部６２、音声合成回路６３、音声信号を発報するためのアンプ６４及び拡声スピーカ６５、制御機５４と通信するための通信回路６６、マイクロコンピュータから成る集合玄関機制御回路６７、画像情報を番号情報に変換する画像情報変換部６８を備えている。
【００２４】
居室親機５２は、伝送されてきた映像信号を復調する映像処理回路７０、来訪者映像を出画するためのモニタ７１、各種情報を表示する表示部７２、マイク及びスピーカを備えた通話部７３、テンキーを備えた呼出番号設定部７４、音声合成回路７５、音声信号を発報するためのアンプ７６及び拡声スピーカ７７、２次元バーコードを作成する暗号画像作成手段７８、制御機５４と通信するための通信回路７９、マイクロコンピュータから成る居室親機制御回路８０を備えている。但し、呼出番号設定部７４はタッチパネルで構成され、表示部７２とモニタ７１は一体化されている。
【００２５】
管理室親機５３は、各種情報を表示する表示部８１、マイク及びスピーカを備えた通話部８２、テンキーを備えた操作部８３、音声合成回路８４、音声信号を発報するためのアンプ８５及び拡声スピーカ８６、制御機５４と通信するための通信回路８７、マイクロコンピュータから成る管理室親機制御回路８８を備えている。
【００２６】
そして制御機５４は、集合玄関機５１と通信するための第１通信回路９１、居室親機５２と通信するための第２通信回路９２、管理室親機５３と通信するための第３通信回路９３、設定された番号を記憶する呼出番号記憶部９４、集合玄関機５１で入力された呼出番号を照合する照合部９５、マイクロコンピュータから成る制御機制御回路９６、集合玄関機カメラ５８の撮像映像を録画するための録画部９７を備えている。
【００２７】
このように構成された集合住宅インターホンシステムは、次のように動作する。まず最初に、集合玄関機５１から訪問先の居室親機（自己）を呼び出すための番号が居室親機５２の呼出番号設定部７４で設定される。具体的には、居室親機５２のタッチパネルを所定の操作することで設定メニューが表示され、番号設定操作画面に入り、例えば５桁の呼出番号（設定番号）の設定が成される。
【００２８】
設定された番号は、最後に設定ボタン（図示せず）が押されることで制御機５４に送信され、制御機５４はこの設定番号が既に設定されていないか照合部９５で照合し、無ければ呼出番号記憶部９４に登録される。既に設定されている番号であれば、居室親機５２に通知し、居室親機制御回路８０は音声合成回路７５を操作して「入力された番号は登録することができません」等のメッセージを拡声スピーカ７７から報音させ、再設定を促す。こうすることで、設定した番号が二重に登録されることが無く、誤って呼び出しが成されるような事態が発生することはない。
【００２９】
登録されたら、居室親機制御回路８０の制御により、設定番号を暗号画像作成手段７８が２次元バーコードに変換し、モニタ７１にその画像が表示される。こうして作成された暗号画像は、居住者によってカメラ付携帯電話で撮影され、この撮影画像が来訪予定者の携帯電話にメール（Ｅｍａｉｌ）送信される。
【００３０】
こうして、暗号化された設定番号の通知を受けた来訪者により、集合玄関機５１が操作されて呼び出しが行われる。図３は呼出動作の基本動作の流れを示すフローチャートであり、この図を基に以下説明する。
先ず、訪問先の居室番号が入力され呼出ボタン（図示せず）が押される（Ｓ１）。この操作を受けて集合玄関機制御回路（起動制御手段）６７は、カメラ５８を起動（Ｓ２）して撮像を開始し、暗号画像の入力待ち状態となる。この状態となってから、所定時間（例えば６０秒）の間に（Ｓ３）、来訪者が居住者から受信した画像を携帯電話の画面に表示し、その画面をカメラ５８に翳すと、集合玄関機制御回路６７によりカメラ５８の撮像映像が暗号画像であることが認識され、画像情報変換部６８で設定番号に変換（Ｓ４）され、その番号情報が制御機５４に送信される。
【００３１】
設定番号を受信した制御機５４は、呼出番号記憶部９４に記憶されている設定番号と照合部９５で照合（Ｓ５）させ、一致している番号があれば、その番号を登録した居室親機５２に対して呼出信号を送出する。こうして呼び出しが行われ、居室親機５２で呼出報知する（Ｓ６）。尚、呼出報知に合わせて、モニタ７１が起動して来訪者映像が出画される（詳述せず）。
【００３２】
但し、来訪者が居室番号を入力したあと、暗号画像の入力が所定時間の間に行われなければ、集合玄関機制御回路６７は集合玄関機５１の拡声スピーカ６５、或いは表示部６０から「画像を認識できませんでした、呼び出しを終了します」等のエラーメッセージを報音或いは表示させ、カメラ５８を停止して集合玄関機５８を待受状態に移行させる（Ｓ７）。そして、制御機制御回路（録画制御手段）９６は、この間集合玄関機カメラ５８が撮像した映像を録画部９７に録画する。尚、所定時間内に暗号画像が認識されたら、録画は行わない。
【００３３】
また、照合した結果、一致する番号がなければ、呼び出しをせずに集合玄関機５１にその旨通知する。この通知を受けて、集合玄関機制御回路６７は、音声合成回路６３を制御して拡声スピーカ６５から、或いは表示部６０から「入力した番号の住戸はありません」等のメッセージを出力或いは表示を行い、再入力を促す。
尚、呼出動作後の居室親機５２による応答動作等は、従来の集合住宅インターホンシステムの動作と同様であり、以下説明を省略する。
【００３４】
このように、居住者が作成した設定番号を暗号画像化して来訪者に通知することで、来訪者は受信した画像を集合玄関機のカメラに翳すだけで、居住者を呼び出すことができる。よって、居室番号以外の番号により呼び出しすることができ、この設定番号を知らない不審者等は呼び出すことができず、防犯に効果を奏するし、プライバシーも確保できる。更に、呼出番号が大きな桁数から構成されても、来訪者は番号を覚える必要がないので、来訪者への負担が少ない。
また、必要な時のみカメラが起動するので、省電力化できるしカメラの寿命を延ばすことができる。
更に、不審者が呼出操作した場合、制御機が来訪者映像を録画するので不審者映像を残しておくことができ、防犯に活用できる。
【００３５】
尚、この第２実施形態で使用する暗号画像は、２次元バーコードでなくとも良く、暗号化された画像であれば使用可能である。また、作成した暗号画像を携帯電話を使用して来訪予定者に送信しているが、制御機５４等に交換機を接続し、居室親機２を操作して作成した暗号画像を直接メール送信するよう構成しても良い。
更に、最初に居室番号が入力されることで、対応した居室親機５２で来訪者の録画を実施することが可能であり、こうすれば制御機５４での録画が必要無くなる。
また、この第２実施形態においても、集合玄関機５１からの呼び出しの設定を居室番号とする通常呼び出しと、設定番号による呼び出しを居住者により選択できるよう構成しても良い。
【図面の簡単な説明】
【００３６】
【図１】本発明に係る集合住宅インターホンシステムの第１の実施形態を示す構成図である。
【図２】本発明に係る集合住宅インターホンシステムの第２の実施形態を示す構成図である。
【図３】第２の実施形態の呼出動作の流れを示すフローチャートである。
【符号の説明】
【００３７】
１・・集合玄関機、２・・居室親機、３・・管理室親機、４・・制御機、８・・カメラ、１０・・表示部、１１・・操作部、１５・・拡声スピーカ、１７・・集合玄関機制御回路、２１・・モニタ、２２・・表示部（報知手段）、２４・・呼出番号設定部（呼出番号設定手段）、２７・・拡声スピーカ（報知手段）、２９・・居室親機制御回路（報知制御手段）、４４・・呼出番号記憶部（呼出番号記憶手段）、４５・・照合部（照合手段）、４６・・制御機制御回路、５１・・集合玄関機、５２・・居室親機、５３・・管理室親機、５４・・制御機、５８・・カメラ、６０・・表示部、６１・・操作部、６５・・拡声スピーカ（報知手段）、６７・・集合玄関機制御回路（起動制御手段）、６８・・画像情報変換部、７１・・モニタ、７２・・表示部（報知手段）、７４・・呼出番号設定部（呼出番号設定手段）、７７・・拡声スピーカ（報知手段）、７８・・暗号画像作成手段、８０・・居室親機制御回路（報知制御手段）、９４・・呼出番号記憶部（呼出番号記憶手段）、９５・・照合部（照合手段）、９６・・制御機制御回路（録画制御手段）、９７・・録画部（録画手段）。
【図１】
2008079105.tif 000003
【図２】
2008079105.tif 000004
【図３】
2008079105.tif 000005